(57)【要約】    【課題】  プレキャストコンクリートのブロックを残存型枠として多段に積み上げて堤防を構築するに当たり、上段のブロックを下段のブロックに固定する作業を簡単にする。    【解決手段】  ブロックは裏面の上端部と下端部にそれぞれボルト用のネジ穴を開口する。連結板は上端部と下端部にそれぞれボルト孔を前後方向に貫通する。下段のブロック１１は、裏面のネジ穴８付き上端部に連結板２１のボルト孔２３付き下端部をボルト５２で固定し、裏面側から上面の上に連結板の上端部を突き出す。上段のブロック１は、下段のブロックの上面に載せ、裏面のネジ穴９付き下端部を下段のブロック上に突き出した下段の連結板のボルト孔２２付き上端部にボルト５３で固定する。ボルト締め作業によって上段のブロックを下段のブロックに連結して固定する。【選択図】  図１３
2018178371.tif 000002
【特許請求の範囲】
【請求項１】
プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
下段のブロックの上に上段のブロックを載せた後、上段の中詰めコンクリートの中詰めの前に、上段のブロックを下段のブロックに連結板とボルトで連結して固定する方法にし、
ブロックは、裏面の上端部と下端部にそれぞれボルト用のネジ穴を開口し、
連結板は、上端部と下端部にそれぞれボルト孔を前後方向に貫通しており、
下段のブロックは、裏面のネジ穴付き上端部に連結板のボルト孔付き下端部をボルトで固定し、裏面側から上面の上に連結板の上端部を突き出し、
上段のブロックは、下段のブロックの上面に載せ、裏面のネジ穴付き下端部を下段のブロック上に突き出した下段の連結板のボルト孔付き上端部にボルトで固定し、
ボルト締め作業によって上段のブロックを下段のブロックに連結して固定することを特徴とする堤防の構築方法。
【請求項２】
ブロックは、真上に積み上げて、堤防の前側部又は後側部を直立壁形状に構成することを特徴とする請求項１に記載の堤防の構築方法。
【請求項３】
ブロックは、斜め上に積み上げて、堤防の前側部又は後側部を傾斜壁形状に構成することを特徴とする請求項１に記載の堤防の構築方法。
【請求項４】
プレキャストコンクリートのブロックを残存型枠として多段に積み上げて構築している堤防において、
堤防の前側部は、ブロックを真上に積み上げた直立壁形状又は斜め上に積み上げた傾斜壁形状に構成し、
堤防の後側部は、ブロックを斜め上に積み上げた傾斜壁形状又は真上に積み上げた直立壁形状に構成しており、
下段のブロックは、裏面の上端部に連結板の下端部をボルトで固定し、
上段のブロックは、裏面の下端部に連結板の上端部をボルトで固定し、
上段のブロックは下段のブロックに連結して固定していることを特徴とする堤防。
【請求項５】
堤防の前側部と後側部の間の中間部は、前側と後側のブロックの間の中詰めコンクリートで構成し、
中詰めコンクリートに連結板を埋没していることを特徴とする請求項４に記載の堤防。
【請求項６】
連結板は、金属板にしていることを特徴とする請求項４又は５に記載の堤防。
【請求項７】
残存型枠として多段に積み上げて堤防を構築するプレキャストコンクリートのブロックにおいて、
ブロックは、裏面の上端部と下端部にそれぞれボルト用のネジ穴を開口しており、
下段のブロックは、裏面のネジ穴付き上端部に連結板のボルト孔付き下端部をボルトで固定する構成にし、
上段のブロックは、裏面のネジ穴付き下端部に連結板のボルト孔付き上端部をボルトで固定する構成にし、
上段のブロックを下段のブロックに連結板とボルトで連結して固定する構成にしていることを特徴とする堤防構築用ブロック。
【請求項８】
ブロックは、パネル部と控壁部を前後に連接し、パネル部の裏面から控壁部を後方に突出し、
控壁部は、パネル部の裏面の左右位置にそれぞれに配置し、
左右の各控壁部は、裏面の上端部と下端部にそれぞれボルト用のネジ穴を開口していることを特徴とする請求項７記載の堤防構築用ブロック。
【発明の詳細な説明】
【技術分野】
【０００１】
本発明は、防潮堤、防波堤、防砂堤や堰堤のような堤防を構築する技術に関する。
【背景技術】
【０００２】
特許文献１に開示の技術では、防砂堤を構築するのに、プレキャストコンクリートのブロックを残存型枠として多段に積み上げる。
残存型枠のブロックは、基礎コンクリート上の前側と後側の位置に裏面を向い合せにして配置する。前側のブロックと後側のブロックは、それぞれ、多数にし、左右方向に線状に配列する。前側と後側のブロック列の間に生コンクリートを投入して充填する。中詰めコンクリートにする。中詰めコンクリートの硬化で、前側のブロック列、後側のブロック列と中詰めコンクリート及び基礎コンクリートを連結して一体化する。
この１段目の前側と後側のブロック列の上には、それぞれ、多数のブロックを載せて左右方向に線状に配列する。この２段目の前側と後側のブロック列の間に生コンクリートを投入して詰める。２段目の中詰めコンクリートにする。２段目の中詰めコンクリートの硬化で、２段目の前側と後側のブロック列、２段目の中詰めコンクリートと１段目の中詰めコンクリートを連結して一体化する。
下段の前側と後側のブロック列の上にそれぞれブロックを配列する。上段の前側と後側のブロック列の間にコンクリートを詰める。上段の前側と後側のブロック列、上段の中詰めコンクリートと下段の中詰めコンクリートを一体化する。このようなブロックの配列とコンクリートの中詰めを繰り返して防砂堤を構築する。
【０００３】
前側と後側のブロックは、コンクリートの中詰め時に型枠となり、コンクリートの硬化後に防砂堤の一部、前側部と後側部を構成することになる。中詰めコンクリートは、防砂堤の前側部と後側部の間、中間部を構成することになる。
下段のブロックの上に上段のブロックを載せた後、コンクリートの中詰めの前に、上段のブロックを下段のブロックに固定する。型枠となる上段のブロックが転倒したり位置ずれしたりするのを防ぐ。また、下段と上段のブロックの連結を強固にする。
【０００４】
特許文献１の技術では、上段のブロックを下段のブロックに固定するのに、鉄筋を溶接する。ブロックは、鉄筋を埋没し、上面と下面にそれぞれ溝を左右方向に貫通して形成する。上面の溝内と下面の溝内にそれぞれ鉄筋の上端部と下端部を露出する。上段のブロック下面の溝内に突き出た鉄筋を下段のブロック上面の溝内に突き出た鉄筋に溶接する。
【先行技術文献】
【特許文献】
【０００５】
【特許文献１】特開平８−２０９６５９号公報
【発明の概要】
【発明が解決しようとする課題】
【０００６】
［課  題］
堤防を残存型枠工法で構築するに当たって、上段のブロックを下段のブロックに固定するのに、上記のように、鉄筋の溶接作業を用いると、堤防の構築現場に溶接機と溶接工を配置することになる。施工費が高価になる。
【０００７】
［構  想］
上段のブロックを下段のブロックに固定するのに、ボルトと連結板によるボルト締め作業を用いることにする。ボルト締め作業は、溶接作業より簡単である。施工費が高価にならない。
【０００８】
＜ボルト締め工法＞
ブロックは、裏面の上端部と下端部にそれぞれボルト用のネジ穴を開口する。連結板は、上端部と下端部にそれぞれボルト孔を前後方向に貫通する。
下段のブロックは、裏面のネジ穴付き上端部に連結板のボルト孔付き下端部をボルトで固定する。連結板は、ボルト締め作業で下段のブロックに取り付ける。下段のブロックは、裏面側から上面の上に連結板の上端部を突き出す。
上段のブロックは、下段のブロックの上面に載せる。そして、上段のブロックは、裏面のネジ穴付き下端部を下段のブロック上に突き出した下段の連結板のボルト孔付き上端部にボルトで固定する。
すると、ボルト締め作業によって、上段のブロックは下段のブロックに連結されて固定される。
【０００９】
＜連結板の効果＞
上段のブロックを下段のブロックの上面に載せるために下降させる際、下段のブロックは、裏面側から上面の上に下段の連結板の上端部を突き出している。従って、上段のブロックは、下段の連結板の上端部の前側位置を連結板の上端部に沿わせて下降させることができる。下段の連結板は、上段のブロックを下段のブロックに載せるために下降させる際、下降位置を案内する。上段のブロックを下段のブロック上面の所定位置に載せるのが容易になる。
また、上段のブロックを下段のブロックに載せた後、下段の連結板で連結する固定前には、下段の連結板は、上段のブロックが裏面側に転倒したり位置ずれしたりするのを防止する。ブロックを傾斜姿勢で斜め上に積み上げるとき、傾斜姿勢の上段のブロックは、非自立式であって重心の平面位置が下面の範囲外であっても、傾斜姿勢の下段のブロックに載せたとき、重心の平面位置が傾斜姿勢の下段の連結板の平面範囲内であれば自立する。
【課題を解決するための手段】
【００１０】
１．プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
下段のブロックの上に上段のブロックを載せた後、上段の中詰めコンクリートの中詰めの前に、上段のブロックを下段のブロックに連結板とボルトで連結して固定する方法にし、
ブロックは、裏面の上端部と下端部にそれぞれボルト用のネジ穴を開口し、
連結板は、上端部と下端部にそれぞれボルト孔を前後方向に貫通しており、
下段のブロックは、裏面のネジ穴付き上端部に連結板のボルト孔付き下端部をボルトで固定し、裏面側から上面の上に連結板の上端部を突き出し、
上段のブロックは、下段のブロックの上面に載せ、裏面のネジ穴付き下端部を下段のブロック上に突き出した下段の連結板のボルト孔付き上端部にボルトで固定し、
ボルト締め作業によって上段のブロックを下段のブロックに連結して固定することを特徴とする堤防の構築方法。
２．上記１の堤防の構築方法において、
ブロックは、真上に積み上げて、堤防の前側部又は後側部を直立壁形状に構成することを特徴とする。
３．上記１の堤防の構築方法において、
ブロックは、斜め上に積み上げて、堤防の前側部又は後側部を傾斜壁形状に構成することを特徴とする。
４．プレキャストコンクリートのブロックを残存型枠として多段に積み上げて構築している堤防において、
堤防の前側部は、ブロックを真上に積み上げた直立壁形状又は斜め上に積み上げた傾斜壁形状に構成し、
堤防の後側部は、ブロックを斜め上に積み上げた傾斜壁形状又は真上に積み上げた直立壁形状に構成しており、
下段のブロックは、裏面の上端部に連結板の下端部をボルトで固定し、
上段のブロックは、裏面の下端部に連結板の上端部をボルトで固定し、
上段のブロックは下段のブロックに連結して固定していることを特徴とする堤防。
５．上記４の堤防において、
堤防の前側部と後側部の間の中間部は、前側と後側のブロックの間の中詰めコンクリートで構成し、
中詰めコンクリートに連結板を埋没していることを特徴とする。
６．上記４又は５の堤防において、
連結板は、金属板にしていることを特徴とする。
７．残存型枠として多段に積み上げて堤防を構築するプレキャストコンクリートのブロックにおいて、
ブロックは、裏面の上端部と下端部にそれぞれボルト用のネジ穴を開口しており、
下段のブロックは、裏面のネジ穴付き上端部に連結板のボルト孔付き下端部をボルトで固定する構成にし、
上段のブロックは、裏面のネジ穴付き下端部に連結板のボルト孔付き上端部をボルトで固定する構成にし、
上段のブロックを下段のブロックに連結板とボルトで連結して固定する構成にしていることを特徴とする堤防構築用ブロック。
８．上記７の堤防構築用ブロックにおいて、
ブロックは、パネル部と控壁部を前後に連接し、パネル部の裏面から控壁部を後方に突出し、
控壁部は、パネル部の裏面の左右位置にそれぞれに配置し、
左右の各控壁部は、裏面の上端部と下端部にそれぞれボルト用のネジ穴を開口していることを特徴とする。
【発明の効果】
【００１１】
プレキャストコンクリートのブロックを残存型枠として多段に積み上げて堤防を構築するに当たり、上段のブロックを下段のブロックに固定する作業が簡単である。
【図面の簡単な説明】
【００１２】
【図１】本発明の実施形態における堤防の防潮堤の２段目以降の直立型ブロックの側面図。
【図２】同２段目以降の直立型ブロックの平面図。
【図３】同２段目以降の直立型ブロックの背面図。
【図４】同２段目以降の直立型ブロックの正面図。
【図５】同防潮堤の１段目の直立型ブロックの側面図。
【図６】同防潮堤の２段目以降の傾斜型ブロックの側面図。
【図７】同防潮堤の１段目の傾斜型ブロックの側面図。
【図８】同防潮堤の連結板の図で、（１）は正面図、（２）は底面図、（３）は側面図。
【図９】同防潮堤を構築する工程を示す縦断側面図。
【図１０】同防潮堤を構築する工程を示す縦断側面図。
【図１１】同防潮堤を構築する工程を示す縦断側面図。
【図１２】同防潮堤を構築する工程を示す縦断側面図。
【図１３】同防潮堤を構築する工程を示す縦断側面図。
【図１４】同防潮堤を構築する工程を示す縦断側面図。
【図１５】同防潮堤の縦断側面図。
【発明を実施するための形態】
【００１３】
実施形態の堤防は、防潮堤にし、プレキャストコンクリートのブロックを残存型枠として多段に積み上げて構築する。
防潮堤は、前側部を、１段目の直立型ブロックと２段目以降の直立型ブロックを真上に積み上げて連結板で連結し、直立壁形状に構成する。後側部は、１段目の傾斜型ブロックと２段目以降の傾斜型ブロックを斜め上に積み上げて連結板で連結し、傾斜壁形状に構成する。前側部と後側部の間の中間部は、直立型ブロックと傾斜型ブロックの間にコンクリートを充填して中詰めコンクリートで構成する。
【００１４】
＜ブロックと連結板（図１〜図８参照）＞
２段目以降の直立型ブロック１は、図１〜図４に示すように、パネル部２と控壁部３を前後に連接し、パネル部２の裏面から控壁部３を後方に突き出している。控壁部３は、パネル部２の裏面の左右位置にそれぞれに配置している。左右の控壁部３は、左右対称に構成している。パネル部２は、表面を横長の長方形状の平面にしている。
２段目以降の直立型ブロック１は、上面の前部に嵌め込み凸部４を、下面の前部に嵌め込み凹部５を左右位置にそれぞれ形成している。また、２段目以降の直立型ブロック１は、控壁部３の後部を上側に変形したような形状にして、上面を凹状折り曲げ面の受け面６に、下面を凸状折り曲げ面の載り面７にしている。２段目以降の直立型ブロック１の裏面、即ち、左右の控壁部３の裏面は、上端部と下端部にそれぞれインサートのナットを埋没してボルト用のネジ穴８、９を開口している。
１段目の直立型ブロック１１は、図５に示すように、下面に嵌め込み凹部と凸状折り曲げ面を形成せず、下面を平面の載り面１２にして表面と直交している。その他の点は、２段目以降の直立型ブロック１におけるのと同様にしている。同様な部分には、同一の符号を付ける。
【００１５】
２段目以降の傾斜型ブロック１６は、図６に傾斜姿勢で示すように、２段目以降の直立型ブロック１と同様な構造にしている。同様な部分には、同一の符号を付ける。ただし、傾斜姿勢時の表面の高さH（＝８００ｍｍ）を直立型ブロック１の高さH（＝８００ｍｍ）に一致させている。図示例の傾斜型ブロック１６は、裏面側に傾斜する距離をH／２（＝４００ｍｍ）にして傾斜を５分勾配にしている。傾斜姿勢時の重心Gの平面位置を下面の範囲内にして、自立式にしている。
１段目の傾斜型ブロック１７は、図７に傾斜姿勢で示すように、下面に嵌め込み凹部と凸状折り曲げ面を形成せず、下面を平面の載り面１８にして表面と斜交している。傾斜姿勢時の下面１８は、鉛直線と直交している。その他の点は、２段目以降の傾斜型ブロック１６におけるのと同様にしている。同様な部分には、同一の符号を付ける。
【００１６】
連結板２１は、図８に示すように、縦長の長方形状の金属板にし、上端部と下端部にそれぞれボルト孔２２、２３を板厚方向、前後方向に貫通している。金属板は、実施例では鋼板にしている。
【００１７】
＜防潮堤の構築方法（図９〜図１５参照）＞
（１）図９に示すように、防潮堤構築場所に基礎コンクリート３１を施工する。基礎コンクリート３１は、上面、基礎面の前側と後側の位置からそれぞれアンカーボルト３２、３３を真上に突き出す。
【００１８】
（２）図１０に示すように、基礎コンクリート３１上に前側と後側の位置に１段目の直立型ブロック１１と１段目の傾斜型ブロック１７を設置する。前側の１段目の直立型ブロック１１と後側の１段目の傾斜型ブロック１７は、裏面を向い合せにして配置する。
１段目の直立型ブロック１１は、前側のアンカーボルト３２の前側に位置させ、左右の控壁部３の裏面と基礎コンクリート３１の基礎面の間の直角隅角にそれぞれ直角固定具４１を嵌める。直角固定具４１は、ボルト孔付き横板部を前側のアンカーボルト３２とナットで基礎コンクリート３１に固定する。また、直角固定具４１は、ボルト孔付き縦板部を直立型ブロック１１の控壁部裏面下端部のネジ穴９とボルトで直立型ブロック１１に固定する。１段目の直立型ブロック１１は、ボルト締め作業で基礎コンクリート３１の上に固定する。
１段目の傾斜型ブロック１７は、後側のアンカーボルト３３の後側に位置させ、左右の控壁部３の裏面と基礎コンクリート３１の基礎面の間の鋭角隅角にそれぞれ鋭角固定具４２を嵌める。鋭角固定具４２は、ボルト孔付き横板部を後側のアンカーボルト３３とナットで基礎コンクリート３１に固定する。また、鋭角固定具４２は、ボルト孔付き縦板部を傾斜型ブロック１７の控壁部裏面下端部のネジ穴９とボルトで傾斜型ブロック１７に固定する。１段目の傾斜型ブロック１７は、ボルト締め作業で基礎コンクリート３１の上に固定する。
【００１９】
（３）図１１に示すように、前側の１段目の直立型ブロック１１と後側の１段目の傾斜型ブロック１７の間に生コンクリートを投入して充填する。１段目の中詰めコンクリート５１にする。１段目の中詰めコンクリート５１には、前側の左右の直角固定具４１と後側の左右の鋭角固定具４２を埋没させる。１段目の直立型ブロック１１と１段目の傾斜型ブロック１７は、それぞれ、左右の控壁部３の下端部を１段目の中詰めコンクリート５１に埋没させ、左右の控壁部３のネジ穴８付き上端部を１段目の中詰めコンクリート５１の上側に露出させる。
１段目の中詰めコンクリート５１の硬化で、前側の１段目の直立型ブロック１１、後側の１段目の傾斜型ブロック１７と１段目の中詰めコンクリート５１及び基礎コンクリート３１を連結して一体化する。
【００２０】
（４）図１２に示すように、前側の１段目の直立型ブロック１１と後側の１段目の傾斜型ブロック１７は、それぞれ、左右の控壁部３の裏面のネジ穴８付き上端部に連結板２１のボルト孔２３付き下端部をボルト５２で固定する。連結板２１は、ボルト締め作業で、１段目の直立型ブロック１１と傾斜型ブロック１７にそれぞれ取り付ける。
１段目の直立型ブロック１１は、左右の控壁部３の裏面側から上面の上に１段目の連結板２１の上端部を真上に突き出す。１段目の傾斜型ブロック１７は、左右の控壁部３の裏面側から上面の上に１段目の連結板２１の上端部を傾斜方向、斜め上に突き出す。
【００２１】
（５）図１３に示すように、前側の１段目の直立型ブロック１１と後側の１段目の傾斜型ブロック１７の上に、それぞれ、２段目の直立型ブロック１と２段目の傾斜型ブロック１６を載せる。その際、１段目の連結板２１は、２段目の直立型ブロック１、傾斜型ブロック１６を１段目の直立型ブロック１１、傾斜型ブロック１７に向かって下降させる位置を案内する。２段目の直立型ブロック１は、下面の嵌め込み凹部５と凸状折り曲げ面の載り面７を、１段目の直立型ブロック１１の上面の嵌め込み凸部４と凹状折り曲げ面の受け面６に嵌める。更に、左右の控壁部３の裏面のネジ穴９付き下端部を１段目の左右の連結板２１のボルト孔２２付き上端部に重ねる。２段目の傾斜型ブロック１６は、下面の嵌め込み凹部５と凸状折り曲げ面の載り面７を、１段目の傾斜型ブロック１７の上面の嵌め込み凸部４と凹状折り曲げ面の受け面６に嵌める。更に、左右の控壁部３の裏面のネジ穴９付き下端部を１段目の左右の連結板２１のボルト孔２２付き上端部に重ねる。この載置状態で、１段目の連結板２１は、２段目の直立型ブロック１、傾斜型ブロック１６が外力を受けて裏面側へ転倒したり位置ずれしたりするのを防止する。
次に、２段目の直立型ブロック１と２段目の傾斜型ブロック１６は、それぞれ、左右の控壁部３の裏面のネジ穴９付き下端部を１段目の連結板２１のボルト孔２２付き上端部にボルト５３で固定する。２段目の直立型ブロック１は１段目の直立型ブロック１１に１段目の左右の連結板２１で連結する。２段目の傾斜型ブロック１６は、１段目の傾斜型ブロック１７に１段目の左右の連結板２１で連結する。ボルト締め作業によって、２段目の直立型ブロック１と傾斜型ブロック１６は、それぞれ、１段目の直立型ブロック１１と傾斜型ブロック１７に固定する。
【００２２】
（６）図１４に示すように、前側の２段目の直立型ブロック１と後側の２段目の傾斜型ブロック１６の間に生コンクリートを投入して充填する。２段目の中詰めコンクリート５４にする。２段目の中詰めコンクリート５４には、前側の１段目の左右の連結板２１と後側の１段目の左右の連結板２１を埋没させる。また、１段目の直立型ブロック１１と１段目の傾斜型ブロック１７の左右の控壁部３の上端部、１段目の中詰めコンクリート５１の上側に露出していた部分を埋没させる。２段目の直立型ブロック１と２段目の傾斜型ブロック１６は、それぞれ、左右の控壁部３の下端部を２段目の中詰めコンクリート５４に埋没させ、左右の控壁部３のネジ穴８付き上端部を２段目の中詰めコンクリート５４の上側に露出させる。
２段目の中詰めコンクリート５４の硬化で、前側の２段目の直立型ブロック１、後側の２段目の傾斜型ブロック１６と２段目の中詰めコンクリート５４及び１段目の中詰めコンクリート５１を連結して一体化する。更に、１段目の直立型ブロック１１と傾斜型ブロック１７の上端部を連結して一体化する。
【００２３】
（７）上記の（５）と（６）のように、下段の前側の直立型ブロック１と後側の傾斜型ブロック１６の上にそれぞれ上段の直立型ブロック１と傾斜型ブロック１６を載せる。上段の直立型ブロック１と傾斜型ブロック１６の裏面のネジ穴９付き下端部をそれぞれ下段の連結板２１のボルト孔２２付き上端部にボルト５２で固定する。上段の直立型ブロック１と傾斜型ブロック１６をそれぞれ下段の直立型ブロック１と傾斜型ブロック１６に固定した後、上段の前側の直立型ブロック１と後側の傾斜型ブロック１６の間にコンクリートを詰める。上段の前側の直立型ブロック１と後側の傾斜型ブロック１６の裏面のネジ穴８付き上端部にそれぞれ上段の連結板２１のボルト孔２３付き下端部をボルト５３で固定する。
これらの作業を繰り返して防砂堤を構築する。
【００２４】
（８）防砂堤６１は、図１５に示すように、前側部を、直立型ブロック１を真上に積み上げて、直立壁形状に構成している。上段の直立型ブロック１は、下段の直立型ブロック１に連結板２１で連結して固定している。防砂堤６１の後側部は、傾斜型ブロック１６を斜め上に積み上げて、傾斜壁形状に構成している。上段の傾斜型ブロック１６は、下段の傾斜型ブロック１６に連結板２１で連結して固定している。防砂堤６１の前側部と後側部の間の中間部は、直立型ブロック１と傾斜型ブロック１６の間の中詰めコンクリート５１、５４で構成している。上端部は、天端コンクリート６２で構成している。
なお、図示しないが、前側と後側の各段のブロックは、それぞれ、多数にして左右方向に線状に配列し、同様に取り扱って同様に構成している。
【００２５】
［変形例］
本発明は、上記の実施形態に限定されない。次のような変形が例示される。
１．上記の実施形態において、堤防は、防潮堤６１にしたが、防波堤、防砂堤又は堰堤にする。
２．上記の実施形態において、堤防の前側部は、直立型ブロック１を真上に積み上げて直立壁形状に構成したが、傾斜型ブロックを斜め上に積み上げて傾斜壁形状に構成する。
３．上記の実施形態において、堤防の後側部は、傾斜型ブロック１６を斜め上に積み上げて傾斜壁形状に構成したが、直立型ブロックを真上に積み上げて直立壁形状に構成する。
４．上記の実施形態において、傾斜型ブロック１６、１７は、自立式にしているが、非自立式にする。
５．上記の実施形態において、傾斜型ブロック１６、１７は、傾斜を５分勾配にしたが、３分勾配にする。又は、その他の勾配にする。
【符号の説明】
【００２６】
１  ２段目以降の直立型ブロック
２  パネル部
３  控壁部
４  嵌め込み凸部
５  嵌め込み凹部
６  上面、凹状折り曲げ面の受け面
７  下面、凸状折り曲げ面の載り面
８、９  ネジ穴
８  上端部のネジ穴
９  下端部のネジ穴
１１  １段目の直立型ブロック
１２  下面、平面の載り面
１６  ２段目以降の傾斜型ブロック
１７  １段目の傾斜型ブロック
１８  下面、平面の載り面
H  ２段目以降の直立型ブロック、傾斜型ブロックの表面の高さ
G  １段目、２段目以降の傾斜型ブロックの重心
２１  連結板
２２、２３  ボルト孔
２２  上端部のボルト孔
２３  下端部のボルト孔
３１  基礎コンクリート
３２、３３  アンカーボルト
３２  前側のアンカーボルト
３３  後側のアンカーボルト
４１  直角固定具
４２  鋭角固定具
５１  １段目の中詰めコンクリート
５２  連結板の下端部用のボルト
５３  連結板の上端部用のボルト
５４  ２段目の中詰めコンクリート
６１  防砂堤
６２  天端コンクリート
【図１】
2018178371.tif 000003
【図２】
2018178371.tif 000004
【図３】
2018178371.tif 000005
【図４】
2018178371.tif 000006
【図５】
2018178371.tif 000007
【図６】
2018178371.tif 000008
【図７】
2018178371.tif 000009
【図８】
2018178371.tif 000010
【図９】
2018178371.tif 000011
【図１０】
2018178371.tif 000012
【図１１】
2018178371.tif 000013
【図１２】
2018178371.tif 000014
【図１３】
2018178371.tif 000015
【図１４】
2018178371.tif 000016
【図１５】
2018178371.tif 000017
【手続補正書】
【提出日】平成30年2月8日(2018.2.8)
【手続補正１】
【補正対象書類名】明細書
【補正対象項目名】００１０
【補正方法】変更
【補正の内容】
【００１０】
１．プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
下段のブロックの上に上段のブロックを載せた後、上段の中詰めコンクリートの中詰めの前に、上段のブロックを下段のブロックに連結板とボルトで連結して固定する方法にし、
ブロックは、裏面の上端部と下端部にそれぞれボルト用のネジ穴を開口し、
連結板は、上端部と下端部にそれぞれボルト孔を前後方向に貫通しており、
下段のブロックは、裏面のネジ穴付き上端部に連結板のボルト孔付き下端部をボルトで固定し、裏面側から上面の上に連結板の上端部を突き出し、
上段のブロックは、下段のブロックの上面に載せ、裏面のネジ穴付き下端部を下段のブロック上に突き出した下段の連結板のボルト孔付き上端部にボルトで固定し、
連結板とボルトを用いるボルト締め作業によって上段のブロックを下段のブロックに連結して固定することを特徴とする堤防の構築方法。
２．上記１の堤防の構築方法において、
ブロックは、真上に積み上げて、堤防の前側部又は後側部を直立壁形状に構成することを特徴とする。
３．上記１の堤防の構築方法において、
ブロックは、斜め上に積み上げて、堤防の前側部又は後側部を傾斜壁形状に構成することを特徴とする。
４．プレキャストコンクリートのブロックを残存型枠として多段に積み上げて構築している堤防において、
堤防の前側部は、ブロックを真上に積み上げた直立壁形状又は斜め上に積み上げた傾斜壁形状に構成し、
堤防の後側部は、ブロックを斜め上に積み上げた傾斜壁形状又は真上に積み上げた直立壁形状に構成しており、
下段のブロックは、裏面の上端部に連結板の下端部をボルトで固定し、裏面側から上面の上に連結板の上端部を突き出し、
上段のブロックは、下段のブロックの上面に載せ、裏面の下端部を下段のブロック上に突き出した下段の連結板の上端部にボルトで固定し、
上段のブロックは下段のブロックに連結板とボルトで連結して固定していることを特徴とする堤防。
５．上記４の堤防において、
堤防の前側部と後側部の間の中間部は、前側と後側のブロックの間の中詰めコンクリートで構成し、
中詰めコンクリートに連結板を埋没していることを特徴とする。
６．上記４又は５の堤防において、
連結板は、金属板にしていることを特徴とする。
７．上記１、２又は３の堤防の構築方法に用いるブロックであって、
ブロックは、裏面の上端部と下端部にそれぞれボルト用のネジ穴を開口しており、
下段のブロックは、裏面のネジ穴付き上端部に連結板のボルト孔付き下端部をボルトで固定し、裏面側から上面の上に連結板のボルト孔付き上端部を突き出す構成にし、
上段のブロックは、下段のブロックの上面に載せ、裏面のネジ穴付き下端部を下段のブロック上に突き出した下段の連結板のボルト孔付き上端部にボルトで固定する構成にし、
上段のブロックを下段のブロックに連結板とボルトで連結して固定する構成にしていることを特徴とする堤防構築用ブロック。
８．上記７の堤防構築用ブロックにおいて、
ブロックは、パネル部と控壁部を前後に連接し、パネル部の裏面から控壁部を後方に突出し、
控壁部は、パネル部の裏面の左右位置にそれぞれに配置し、
ボルト用のネジ穴は、左右の各控壁部の裏面の上端部と下端部にそれぞれ開口していることを特徴とする。
【手続補正２】
【補正対象書類名】特許請求の範囲
【補正対象項目名】全文
【補正方法】変更
【補正の内容】
【特許請求の範囲】
【請求項１】
プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
下段のブロックの上に上段のブロックを載せた後、上段の中詰めコンクリートの中詰めの前に、上段のブロックを下段のブロックに連結板とボルトで連結して固定する方法にし、
ブロックは、裏面の上端部と下端部にそれぞれボルト用のネジ穴を開口し、
連結板は、上端部と下端部にそれぞれボルト孔を前後方向に貫通しており、
下段のブロックは、裏面のネジ穴付き上端部に連結板のボルト孔付き下端部をボルトで固定し、裏面側から上面の上に連結板の上端部を突き出し、
上段のブロックは、下段のブロックの上面に載せ、裏面のネジ穴付き下端部を下段のブロック上に突き出した下段の連結板のボルト孔付き上端部にボルトで固定し、
連結板とボルトを用いるボルト締め作業によって上段のブロックを下段のブロックに連結して固定することを特徴とする堤防の構築方法。
【請求項２】
ブロックは、真上に積み上げて、堤防の前側部又は後側部を直立壁形状に構成することを特徴とする請求項１に記載の堤防の構築方法。
【請求項３】
ブロックは、斜め上に積み上げて、堤防の前側部又は後側部を傾斜壁形状に構成することを特徴とする請求項１に記載の堤防の構築方法。
【請求項４】
プレキャストコンクリートのブロックを残存型枠として多段に積み上げて構築している堤防において、
堤防の前側部は、ブロックを真上に積み上げた直立壁形状又は斜め上に積み上げた傾斜壁形状に構成し、
堤防の後側部は、ブロックを斜め上に積み上げた傾斜壁形状又は真上に積み上げた直立壁形状に構成しており、
下段のブロックは、裏面の上端部に連結板の下端部をボルトで固定し、裏面側から上面の上に連結板の上端部を突き出し、
上段のブロックは、下段のブロックの上面に載せ、裏面の下端部を下段のブロック上に突き出した下段の連結板の上端部にボルトで固定し、
上段のブロックは下段のブロックに連結板とボルトで連結して固定していることを特徴とする堤防。
【請求項５】
堤防の前側部と後側部の間の中間部は、前側と後側のブロックの間の中詰めコンクリートで構成し、
中詰めコンクリートに連結板を埋没していることを特徴とする請求項４に記載の堤防。
【請求項６】
連結板は、金属板にしていることを特徴とする請求項４又は５に記載の堤防。
【請求項７】
請求項１、２又は３に記載の堤防の構築方法に用いるブロックであって、
ブロックは、裏面の上端部と下端部にそれぞれボルト用のネジ穴を開口しており、
下段のブロックは、裏面のネジ穴付き上端部に連結板のボルト孔付き下端部をボルトで固定し、裏面側から上面の上に連結板のボルト孔付き上端部を突き出す構成にし、
上段のブロックは、下段のブロックの上面に載せ、裏面のネジ穴付き下端部を下段のブロック上に突き出した下段の連結板のボルト孔付き上端部にボルトで固定する構成にし、
上段のブロックを下段のブロックに連結板とボルトで連結して固定する構成にしていることを特徴とする堤防構築用ブロック。
【請求項８】
ブロックは、パネル部と控壁部を前後に連接し、パネル部の裏面から控壁部を後方に突出し、
控壁部は、パネル部の裏面の左右位置にそれぞれに配置し、
ボルト用のネジ穴は、左右の各控壁部の裏面の上端部と下端部にそれぞれ開口していることを特徴とする請求項７に記載の堤防構築用ブロック。
【手続補正書】
【提出日】平成30年4月23日(2018.4.23)
【手続補正１】
【補正対象書類名】明細書
【補正対象項目名】００１０
【補正方法】変更
【補正の内容】
【００１０】
１．プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
ブロックは、裏面の上端部と下端部にそれぞれボルト用のネジ穴を開口し、
連結板は、上端部と下端部にそれぞれボルト孔を前後方向に貫通しており、
下段のブロックは、裏面のネジ穴付き上端部に連結板のボルト孔付き下端部をボルトで固定し、裏面側から上面の上に連結板の上端部を突き出し、上段のブロックを下段のブロックの上面に載せるために下降させる際、下段のブロックは裏面側から上面の上に下段の連結板の上端部を突き出しており、
上段のブロックは、下段の連結板のボルト孔付き上端部が裏面側から突き出している下段のブロックの上面に載せ、裏面のネジ穴付き下端部を、下段のブロック上に突き出した下段の連結板のボルト孔付き上端部に、重ね、次に、ボルトで固定し、
連結板とボルトを用いるボルト締め作業によって上段のブロックを下段のブロックに連結して固定することを特徴とする堤防の構築方法。
２．上記１の堤防の構築方法において、
連結板とボルトを用いるボルト締め作業によって上段のブロックを下段のブロックに連結して固定した後、上段の中詰めコンクリートを詰め、
上段の中詰めコンクリートには、下段の連結板、下段のブロックの裏面の上端部、下段の中詰めコンクリートの上側に露出していた部分を埋没し、また、上段のブロックの裏面の下端部を埋没し、
上段の中詰めコンクリートの上側には、上段のブロックの裏面のネジ穴付き上端部を露出することを特徴とする。
３．上記１又は２の堤防の構築方法において、
ブロックは、真上に積み上げて、堤防の前側部又は後側部を直立壁形状に構成することを特徴とする。
４．上記１又は２の堤防の構築方法において、
ブロックは、斜め上に積み上げて、堤防の前側部又は後側部を傾斜壁形状に構成することを特徴とする。
５．上記１〜４のいずれかの堤防の構築方法において、
連結板は、縦長の金属板にし、左右の側部をそれぞれ後方に突出して断面形状を溝形にしていることを特徴とする。
６．上記１〜５のいずれかの堤防の構築方法において、
ブロックは、パネル部と控壁部を前後に連接し、パネル部の裏面から控壁部を後方に突出し、
控壁部は、パネル部の裏面の左右位置にそれぞれに配置し、
ボルト用のネジ穴は、左右の各控壁部の裏面の上端部と下端部にそれぞれ開口していることを特徴とする。
【手続補正２】
【補正対象書類名】明細書
【補正対象項目名】００１６
【補正方法】変更
【補正の内容】
【００１６】
連結板２１は、図８に示すように、縦長の長方形状の金属板にし、左右の側部をそれぞれ後方に突出して断面形状を溝形にし、上端部と下端部にそれぞれボルト孔２２、２３を板厚方向、前後方向に貫通している。金属板は、実施例では鋼板にしている。
【手続補正３】
【補正対象書類名】特許請求の範囲
【補正対象項目名】全文
【補正方法】変更
【補正の内容】
【特許請求の範囲】
【請求項１】
プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
ブロックは、裏面の上端部と下端部にそれぞれボルト用のネジ穴を開口し、
連結板は、上端部と下端部にそれぞれボルト孔を前後方向に貫通しており、
下段のブロックは、裏面のネジ穴付き上端部に連結板のボルト孔付き下端部をボルトで固定し、裏面側から上面の上に連結板の上端部を突き出し、上段のブロックを下段のブロックの上面に載せるために下降させる際、下段のブロックは裏面側から上面の上に下段の連結板の上端部を突き出しており、
上段のブロックは、下段の連結板のボルト孔付き上端部が裏面側から突き出している下段のブロックの上面に載せ、裏面のネジ穴付き下端部を、下段のブロック上に突き出した下段の連結板のボルト孔付き上端部に、重ね、次に、ボルトで固定し、
連結板とボルトを用いるボルト締め作業によって上段のブロックを下段のブロックに連結して固定することを特徴とする堤防の構築方法。
【請求項２】
連結板とボルトを用いるボルト締め作業によって上段のブロックを下段のブロックに連結して固定した後、上段の中詰めコンクリートを詰め、
上段の中詰めコンクリートには、下段の連結板、下段のブロックの裏面の上端部、下段の中詰めコンクリートの上側に露出していた部分を埋没し、また、上段のブロックの裏面の下端部を埋没し、
上段の中詰めコンクリートの上側には、上段のブロックの裏面のネジ穴付き上端部を露出することを特徴とする請求項１に記載の堤防の構築方法。
【請求項３】
ブロックは、真上に積み上げて、堤防の前側部又は後側部を直立壁形状に構成することを特徴とする請求項１又は２に記載の堤防の構築方法。
【請求項４】
ブロックは、斜め上に積み上げて、堤防の前側部又は後側部を傾斜壁形状に構成することを特徴とする請求項１又は２に記載の堤防の構築方法。
【請求項５】
連結板は、縦長の金属板にし、左右の側部をそれぞれ後方に突出して断面形状を溝形にしていることを特徴とする請求項１〜４のいずれかに記載の堤防の構築方法。
【請求項６】
ブロックは、パネル部と控壁部を前後に連接し、パネル部の裏面から控壁部を後方に突出し、
控壁部は、パネル部の裏面の左右位置にそれぞれに配置し、
ボルト用のネジ穴は、左右の各控壁部の裏面の上端部と下端部にそれぞれ開口していることを特徴とする請求項１〜５のいずれかに記載の堤防の構築方法。